(57)【要約】【課題】移動通信端末によって不定期に取得された位置情報を対象にして精度よく人口分布を算出すること。【解決手段】位置情報集計装置は、複数の移動通信端末２の位置に関する位置情報を、時刻情報及びユーザＩＤを含んで受信する位置情報受信部１１１と、受信された複数の位置情報を蓄積する位置情報蓄積部１１２と、蓄積された複数の位置情報の中から特定時間帯に対応する時刻情報を含む位置情報を抽出する位置情報時間抽出部１２３と、抽出された位置情報の中から、重複するユーザＩＤを含む位置情報を削除する位置情報ユーザ抽出部１２４と、抽出された位置情報を対象に特定エリアにおける人口分布を集計する集計部１２６と、を備える。【選択図】図１
2010244292.tif 000002
【特許請求の範囲】
【請求項１】
複数の移動通信端末の位置に関する位置情報を、それぞれの前記位置情報を取得した時刻に関する時刻情報、及びそれぞれの前記位置情報に対応する前記移動通信端末のユーザを特定するユーザ特定情報を含んで受信する位置情報受信手段と、
前記位置情報受信手段によって受信された複数の前記位置情報を蓄積する位置情報蓄積手段と、
前記位置情報蓄積手段によって蓄積された前記複数の位置情報の中から、特定の時間帯に含まれる時刻に対応する前記時刻情報を含む前記位置情報を抽出する第１の位置情報抽出手段と、
前記第１の位置情報抽出手段によって抽出された前記位置情報の中から、重複する前記ユーザ特定情報を含む位置情報を削除することにより、前記ユーザ毎に前記位置情報を抽出する第２の位置情報抽出手段と、
前記第２の位置情報抽出手段によって抽出された前記位置情報を対象に、特定エリアに位置する前記位置情報を抽出及び集計することにより、前記特定エリアにおける人口分布を集計する集計手段と、
を備えることを特徴とする位置情報集計装置。
【請求項２】
前記第１の位置情報抽出手段は、前記複数の位置情報の中から、所定周期で繰り返される複数の前記特定の時間帯に含まれる時刻に対応する前記時刻情報を含む前記位置情報を抽出する、
ことを特徴とする請求項１記載の位置情報集計装置。
【請求項３】
前記第２の位置情報抽出手段は、重複する前記ユーザ特定情報を含む前記位置情報に含まれる時刻情報の示す時刻が、一定時間間隔以上空くように前記位置情報を抽出するとともに、抽出後の重複する前記ユーザ特定情報を含む前記位置情報に対しては、互いに異なるユーザ特定情報を新たに付与する、
ことを特徴とする請求項１又は２記載の位置情報集計装置。
【請求項４】
位置情報集計装置が、複数の移動通信端末の位置に関する位置情報を、それぞれの前記位置情報を取得した時刻に関する時刻情報、及びそれぞれの前記位置情報に対応する前記移動通信端末のユーザを特定するユーザ特定情報を含んで受信する位置情報受信ステップと、
前記位置情報集計装置が、前記位置情報受信ステップによって受信された複数の前記位置情報を蓄積する位置情報蓄積ステップと、
前記位置情報集計装置が、前記位置情報蓄積ステップによって蓄積された前記複数の位置情報の中から、特定の時間帯に含まれる時刻に対応する前記時刻情報を含む前記位置情報を抽出する第１の位置情報抽出ステップと、
前記位置情報集計装置が、前記第１の位置情報抽出ステップによって抽出された前記位置情報の中から、重複する前記ユーザ特定情報を含む位置情報を削除することにより、前記ユーザ毎に前記位置情報を抽出する第２の位置情報抽出ステップと、
前記位置情報集計装置が、前記第２の位置情報抽出ステップによって抽出された前記位置情報を対象に、特定エリアに位置する前記位置情報を抽出及び集計することにより、前記特定エリアにおける人口分布を集計する集計ステップと、
を備えることを特徴とする位置情報集計方法。
【発明の詳細な説明】
【技術分野】
【０００１】
本発明は、位置情報集計装置及び位置情報集計方法に関するものである。
【背景技術】
【０００２】
従来から、携帯端末の位置情報を取得して、その位置情報をもとに携帯端末のユーザの人口分布を解析する装置が知られている（下記特許文献１，２参照）。特許文献１に記載の装置は、携帯電話基地局毎に対応する携帯電話基地局に接続された携帯電話に関する識別情報が登録された位置情報データベースを利用し、特定された携帯電話基地局に対応するセル内の携帯電話数を求めている。また、特許文献２に記載の装置は、携帯端末のそれぞれに関する位置情報を格納するデータベースを利用して、ターゲット地域およびターゲット層に対応する人口分布を集計している。
【先行技術文献】
【特許文献】
【０００３】
【特許文献１】特開２００３−１２２８７７号公報
【特許文献２】特開２００３−３０３７３号公報
【発明の概要】
【発明が解決しようとする課題】
【０００４】
しかしながら、上述したような携帯端末の位置情報を利用した人口分布の解析装置では、携帯端末ごとの現在位置に関する位置情報を集計の対象としているために、所定の期間内において不定期に収集される携帯端末の位置情報に関しては正確な人口分布を算出することは困難である。例えば、近年の携帯端末ではＧＰＳ（Global Positioning System）等の測位演算による位置情報を同一の端末において任意のタイミングで取得可能になっているが、正確な人口分布を算出するためには、随時取得される位置情報を収集及び蓄積して集計する必要があるが、携帯端末毎の位置情報の数が様々変化するために人口分布の精度が低下してしまう。
【０００５】
そこで、本発明は、かかる課題に鑑みて為されたものであり、移動通信端末によって不定期に取得された位置情報を対象にして精度よく人口分布を算出することが可能な位置情報集計装置及び位置情報集計方法を提供することを目的とする。
【課題を解決するための手段】
【０００６】
上記課題を解決するため、本発明の位置情報集計装置は、複数の移動通信端末の位置に関する位置情報を、それぞれの位置情報を取得した時刻に関する時刻情報、及びそれぞれの位置情報に対応する移動通信端末のユーザを特定するユーザ特定情報を含んで受信する位置情報受信手段と、位置情報受信手段によって受信された複数の位置情報を蓄積する位置情報蓄積手段と、位置情報蓄積手段によって蓄積された複数の位置情報の中から、特定の時間帯に含まれる時刻に対応する時刻情報を含む位置情報を抽出する第１の位置情報抽出手段と、第１の位置情報抽出手段によって抽出された位置情報の中から、重複するユーザ特定情報を含む位置情報を削除することにより、ユーザ毎に位置情報を抽出する第２の位置情報抽出手段と、第２の位置情報抽出手段によって抽出された位置情報を対象に、特定エリアに位置する位置情報を抽出及び集計することにより、特定エリアにおける人口分布を集計する集計手段と、を備える。
【０００７】
或いは、本発明の位置情報集計方法は、位置情報集計装置が、複数の移動通信端末の位置に関する位置情報を、それぞれの位置情報を取得した時刻に関する時刻情報、及びそれぞれの位置情報に対応する移動通信端末のユーザを特定するユーザ特定情報を含んで受信する位置情報受信ステップと、位置情報集計装置が、位置情報受信ステップによって受信された複数の位置情報を蓄積する位置情報蓄積ステップと、位置情報集計装置が、位置情報蓄積ステップによって蓄積された複数の位置情報の中から、特定の時間帯に含まれる時刻に対応する時刻情報を含む位置情報を抽出する第１の位置情報抽出ステップと、位置情報集計装置が、第１の位置情報抽出ステップによって抽出された位置情報の中から、重複するユーザ特定情報を含む位置情報を削除することにより、ユーザ毎に位置情報を抽出する第２の位置情報抽出ステップと、位置情報集計装置が、第２の位置情報抽出ステップによって抽出された位置情報を対象に、特定エリアに位置する位置情報を抽出及び集計することにより、特定エリアにおける人口分布を集計する集計ステップと、を備える。
【０００８】
このような位置情報集計装置及び位置情報集計方法によれば、複数の移動通信端末に関する位置情報が受信および蓄積され、蓄積された位置情報の中から特定時間帯に取得された位置情報が抽出された後に、ユーザ特定情報が重複する位置情報がユーザ毎に抽出され、ユーザ毎に抽出された位置情報を対象に、所定エリア毎の人口分布が集計される。これにより、移動通信端末毎に不定期に位置情報が取得される場合であっても、その位置情報を元にして任意の時間帯の任意のエリアにおける人口分布を高い精度で算出することができる。すなわち、時間帯を対象にして位置情報の抽出処理後にユーザ毎の抽出処理を実行することで、不定期に取得される位置情報であっても特定の時間帯におけるユーザ数を欠落なく算出することができ、ユーザ毎の抽出処理後に所定エリア毎の位置情報の集計処理を実行することで、不定期に取得される位置情報であっても特定のエリアにおけるユーザ数を他のエリアと重複することなく算出することができる。
【０００９】
第１の位置情報抽出手段は、複数の位置情報の中から、所定周期で繰り返される複数の特定の時間帯に含まれる時刻に対応する時刻情報を含む位置情報を抽出する、ことが好ましい。こうすれば、１日周期や１週間周期の所定の周期で繰り返される時間帯についての人口分布をまとめて集計することができる。
【００１０】
また、第２の位置情報抽出手段は、重複するユーザ特定情報を含む位置情報に含まれる時刻情報の示す時刻が、一定時間間隔以上空くように位置情報を抽出するとともに、抽出後の重複するユーザ特定情報を含む位置情報に対しては、互いに異なるユーザ特定情報を新たに付与する、ことも好ましい。かかる構成を採れば、同じユーザについての同一時間帯における移動の傾向も含めた人口分布を集計することができる。
【発明の効果】
【００１１】
本発明によれば、移動通信端末によって不定期に取得された位置情報を対象にして精度よく人口分布を算出することができる。
【図面の簡単な説明】
【００１２】
【図１】本発明の好適な一実施形態にかかる位置情報集計システムの概略構成図である。
【図２】図１の位置情報蓄積部１１２に格納されるデータの構成を示す図である。
【図３】位置情報集計システム１による位置情報集計時の動作を示すシーケンス図である。
【図４】位置情報集計装置による人口分布集計処理時の動作を示すフローチャートである。
【図５】図１の位置情報処理装置１２によって抽出された位置情報のデータ構成の一例を示す図である。
【図６】図１の位置情報処理装置１２によって抽出された位置情報のデータ構成の一例を示す図である。
【図７】図１の位置情報処理装置１２によって集計された人口分布のデータ構成の一例を示す図である。
【発明を実施するための形態】
【００１３】
以下、図面とともに本発明による位置情報集計装置及び位置情報集計方法の好適な実施形態について詳細に説明する。なお、図面の説明においては同一要素には同一符号を付し、重複する説明を省略する。
【００１４】
図１は、本発明の好適な一実施形態にかかる位置情報集計システム１の概略構成図である。図１に示すように、本実施形態にかかる位置情報集計システム１は、複数の移動通信端末２、基地局３、位置情報計算装置４、位置情報提供装置５、情報表示装置６、位置情報蓄積装置１１、及び位置情報処理装置１２を備えている。この位置情報蓄積装置１１と位置情報処理装置１２とが、移動通信端末２に関する位置情報を集計して人口分布を計算する位置情報集計装置として機能する。
【００１５】
それぞれの移動通信端末２は、携帯電話機、ＰＨＳ（Personal Handyphone System）、ＰＤＡ（Personal Digital Assistant）等の通信機能を有する携帯端末であり、基地局３と移動体通信方式によって接続されることにより、基地局３及び移動体通信網ＮＷを介して他の移動通信端末２や移動体通信網ＮＷに接続された通信装置との間で相互にデータ通信及び音声通信を可能にされている。位置情報計算装置４、位置情報提供装置５、位置情報蓄積装置１１、及び位置情報処理装置１２は、移動体通信網ＮＷを介して相互にデータ通信が可能なように構成されたサーバ装置である。また、情報表示装置６は、移動体通信網ＮＷに接続され、位置情報処理装置１２との間でデータ通信が可能なように構成された携帯端末、コンピュータ端末等の端末装置である。さらに、位置情報提供装置５は、移動通信端末２ともデータ通信が可能にされている。なお、位置情報計算装置４、位置情報提供装置５、位置情報蓄積装置１１、及び位置情報処理装置１２は、それぞれ１台のサーバ装置で構成されているが、分散された複数のサーバ装置によって構成されてもよいし、逆に、複数のサーバ装置の機能が、１台のサーバ装置に集約されていてもよい。
【００１６】
上記の移動通信端末２は、ＧＰＳを利用して測位処理を実行する機能を有しており、ユーザからの測位要求を受け付けると、ＧＰＳ衛星等から測位処理に必要な情報を取得して、その情報と共に位置情報提供装置５に測位要求を送信する。位置情報提供装置５は、測位要求を受信するとその測位要求から必要な情報を取り出して位置情報計算装置４に移動通信端末２に関する測位演算を要求する。これに対して、位置情報計算装置４は、移動通信端末２に関する測位演算を実行し、位置情報提供装置５に移動通信端末２に関する位置情報を返信し、位置情報提供装置５がその位置情報を移動通信端末２に中継する。そして、移動通信端末２では、取得した位置情報を地図上の位置表示や文字情報等の様々な出力形式に変換してディスプレイ上に表示する。その際、位置情報提供装置５は、移動通信端末２に位置情報を中継すると同時に、位置情報蓄積装置１１にも移動通信端末２に関する位置情報を並行して送信する。
【００１７】
次に、位置情報蓄積装置１１及び位置情報処理装置１２の構成要素について詳細に説明する。
【００１８】
位置情報蓄積装置１１は、機能的な構成要素として、位置情報受信部（位置情報受信手段）１１１と位置情報蓄積部（位置情報蓄積手段）１１２とを備えている。位置情報受信部１１１は、移動通信端末２によって測位要求が為されるつどに、位置情報提供装置５から移動通信端末２の位置に関する位置情報を受信し、位置情報蓄積部１１２に格納する。具体的には、位置情報受信部１１１は、移動通信端末２のユーザを特定するユーザＩＤ（ユーザ特定情報）と、移動通信端末２において位置情報を取得した時刻を示す時刻情報とを、移動通信端末２の位置する緯度及び経度を示す位置情報とともに受信する。あわせて、位置情報受信部１１１は、受信したユーザＩＤに応じて、移動体通信網ＮＷに接続された図示しない顧客情報データベースから移動通信端末２のユーザに関する年齢や職業等を示す属性情報も読み出して位置情報に付加することもできる。
【００１９】
図２には、位置情報蓄積部１１２に格納された位置情報のデータ構成の一例を示している。同図に示すように、位置情報蓄積部１１２には、移動通信端末２に関する位置情報“X1,Y1”、時刻情報“3/1 1:03”、属性情報“年齢層１”“職業１”、及びユーザＩＤ“A”が互いに対応付けて格納される。このような位置情報は、複数の移動通信端末２からの測位要求がある度に蓄積して記憶されるが、記憶のタイミングとしてはこのようなタイミングには限定されず、位置情報提供装置５又はその他の情報記憶装置によって所定の情報量をバッファリングしてから定期的或いは随時に位置情報蓄積装置１１に転送してもよい。
【００２０】
位置情報処理装置１２は、機能的な構成要素として、要求情報受信部１２１、位置情報属性抽出部１２２、位置情報時間抽出部（第１の位置情報抽出手段）１２３、位置情報ユーザ抽出部（第２の位置情報抽出手段）１２４、位置情報エリア抽出部１２５、集計部（集計手段）１２６、及び情報送信部１２７を備える。
【００２１】
要求情報受信部１２１は、所定時間帯の所定エリアにおける移動通信端末２のユーザの人口分布に関する情報の集計を要求する要求情報を、情報表示装置６から受信し、この要求情報に応じて位置情報属性抽出部１２２による位置情報の抽出処理を起動する。また、この要求情報には、集計対象の移動通信端末２のユーザの属性を示す属性条件情報、集計対象の時間帯を指定するための時間帯情報や、集計対象のエリアを指定するためのエリア情報も含まれている。
【００２２】
位置情報属性抽出部１２２は、要求情報受信部１２１からの起動信号に応じて、位置情報蓄積装置１１の位置情報蓄積部１１２から位置情報を読み出す。そして、位置情報属性抽出部１２２は、読み出された全ての位置情報の中から、情報表示装置６からの要求情報に含まれる属性条件情報に合致する位置情報を抽出し位置情報時間抽出部１２３に出力する。例えば、処理対象の位置情報の条件を示す属性条件情報が“職業１”の場合には、図２に示す位置情報のうちから属性情報“職業１”を含む位置情報を全て抽出する。
【００２３】
位置情報時間抽出部１２３は、位置情報属性抽出部１２２から出力された位置情報の中から、集計対象の所定時間帯に含まれる時刻に対応する時刻情報を含む位置情報を抽出し、抽出した位置情報を位置情報ユーザ抽出部１２４に出力する。すなわち、情報表示装置６からの要求情報によって指定された集計対象の時間帯が“3/1 1:00〜2:00”の場合は、時刻情報の示す時刻がその時間帯に含まれる位置情報を抽出する。また、位置情報時間抽出部１２３は、所定周期で繰り返される複数の時間帯に含まれる時刻に対応する位置情報を抽出することもできる。例えば、要求情報によって指定された集計対象の時間帯が“毎日 1:00〜2:00”の場合には、時刻情報の示す時刻が日付を問わず“1:00〜2:00”の間である位置情報を抽出し、集計対象の時間帯が“月曜日 1:00〜2:00”の場合には、時刻情報の示す日付が月曜日であって、かつ時刻が“1:00〜2:00”の間である位置情報を抽出する。
【００２４】
位置情報ユーザ抽出部１２４は、位置情報時間抽出部１２３から出力された位置情報の中から、重複するユーザＩＤを含む位置情報を削除することにより、移動通信端末２のユーザ毎に位置情報を１以上抽出する。この場合、位置情報ユーザ抽出部１２４は、同一のユーザＩＤを含む位置情報の中から、時間情報の示す時刻が最も古いものや平均時刻に近いものを選定したり、位置情報の示す位置が重心位置に近いものや予め設定された複数の所定区画エリアの中心位置に最も近いものを選定したりして位置情報を抽出する。例えば、図２に示す位置情報の中で集計対象の時間帯が“毎日 1:00〜2:00”の場合は、ユーザＩＤ“A”の位置情報の中から、時間情報の示す時刻が最も古い“3/1 1:03”の時間情報を含む位置情報を抽出する。
【００２５】
この場合、位置情報ユーザ抽出部１２４は、重複する同一ユーザＩＤを含む位置情報に含まれる時刻情報の示す時刻が、一定時間間隔以上空くように位置情報を抽出することもできる。例えば、“１日”間隔以上空くように位置情報を抽出するように設定されている場合には、図２に示す位置情報の中から、ユーザＩＤ“A”を含む位置情報であって時刻情報“3/1 1:03”及び“3/4 1:03”を含む２つの位置情報が抽出される。また、位置情報ユーザ抽出部１２４は、このように同一のユーザＩＤを含む複数の位置情報を抽出する場合には、これらの位置情報に互いに異なるユーザＩＤを新たに付与する。具体的には、ユーザＩＤ“A”を含む２つの位置情報にユーザＩＤ“A1”及び“A2”をそれぞれ付与する。
【００２６】
位置情報エリア抽出部１２５は、位置情報ユーザ抽出部１２４から取得した位置情報の中から、集計対象の所定エリアに含まれる位置に対応する位置情報を抽出し、抽出した位置情報を集計部１２６に出力する。詳細には、情報表示装置６からの要求情報によって指定された集計対象のエリアが“関東地方”の場合は、位置情報の示す位置がそのエリアに含まれる位置情報を抽出する。
【００２７】
集計部１２６は、位置情報エリア抽出部１２５から出力された位置情報を対象に、予め設定された複数の所定集計エリア毎に、その集計エリア内の位置に対応する位置情報の数を集計する。これにより、複数の所定集計エリアごとの移動通信端末２のユーザ数、すなわち所定集計エリアに関する人口分布を集計することになる。具体的には、集計部１２６は、集計対象の時間帯“1:00〜2:00”における集計エリア“エリア１”，“エリア２”，“エリア３”，“エリア４”，…ごとのユーザ数を集計する。そして、情報送信部１２７はその集計結果情報を情報表示装置６に返信する。
【００２８】
以下、図３及び図４を参照して、位置情報集計システム１の動作について説明するとともに、併せて位置情報集計装置における位置情報集計方法について詳述する。図３は、位置情報集計システム１による位置情報集計時の動作を示すシーケンス図、図４は、位置情報集計装置による人口分布集計処理時の動作を示すフローチャートである。
【００２９】
まず、図３を参照して、移動通信端末２のユーザから測位要求が受け付けられると（ステップＳ０１）、移動通信端末２において測位演算に必要な情報が収集されて、その情報とともに位置情報提供装置５に位置情報の要求信号が送信される（ステップＳ０２）。これに対して、位置情報計算装置４によって移動通信端末２を対象にした測位演算が実行され（ステップＳ０３）、位置情報提供装置５に移動通信端末２の位置情報が保存される（ステップＳ０４）。次に、保存された位置情報は、位置情報提供装置５から移動通信端末２に通知され（ステップＳ０５）、移動通信端末２のディスプレイに様々な表示形式で出力される（ステップＳ０６）。
【００３０】
一方、位置情報提供装置５に保存された移動通信端末２の位置情報は、移動通信端末２に通知されるのに並行して、位置情報蓄積装置１１に送信される（ステップＳ０７）。そして、その位置情報は位置情報蓄積装置１１の位置情報蓄積部１１２に蓄積される（ステップＳ０８）。
【００３１】
その後、情報表示装置６において人口分布に関する表示要求が受け付けられる（ステップＳ０９）。そうすると、情報表示装置６から位置情報処理装置１２に対して人口分布に関する情報の集計を要求する要求情報が、属性条件情報、時間帯情報やエリア情報を含んで送信される（ステップＳ１０）。そうすると、位置情報処理装置１２から位置情報蓄積装置１１に対して位置情報参照要求が送信され（ステップＳ１１）、これによって、位置情報蓄積装置１１から位置情報処理装置１２に位置情報が読み出される（ステップＳ１２）。次に、位置情報処理装置１２によって、読み出された位置情報を対象に移動通信端末２のユーザのエリア毎の人口分布が集計される（ステップＳ１３）。そして、位置情報処理装置１２から情報表示装置６に人口分布データが送信されて（ステップＳ１４）、地図形式やグラフ形式等の様々な出力形式で表示される（ステップＳ１５）。
【００３２】
次に、図４に移って、位置情報処理装置１２による人口分布集計処理の詳細について説明する。まず、位置情報処理装置１２は位置情報蓄積装置１１から位置情報を読み込む（ステップＳ１０１）。その後、位置情報処理装置１２は、情報表示装置６から指定された属性条件に基づいて、それらの位置情報の中から属性情報が条件に合致する位置情報を抽出する（ステップＳ１０２）。さらに、位置情報処理装置１２は、抽出された位置情報の中から、指定された時間帯に該当する時刻情報を有する位置情報を抽出する（ステップＳ１０３）。図５には、このようにして位置情報処理装置１２によって抽出された位置情報のデータ構成の一例を示しており、図５（ａ）に示す位置情報の中から、図５（ｂ）に示すように、時刻情報の示す時間帯が、情報表示装置６によって指定された時間帯“毎日 1:00〜2:00”に該当する “3/1 1:03”及び“3/3 1:20”を含む位置情報が抽出される。
【００３３】
次に、位置情報処理装置１２は、位置情報の中からユーザ毎に一定時間内で重複する位置情報を削除することにより、位置情報を抽出する（ステップＳ１０４）。図６には、このようにして位置情報処理装置１２によって抽出された位置情報のデータ構成の一例を示しており、図６（ａ）に示す位置情報の中から、“１日”のうちで重複する時刻情報“3/1 1:03”及び“3/1 1:35”を含む位置情報のうちから、より新しい時刻を示す時刻情報“3/1 1:35”を含む位置情報を削除することにより、図６（ｂ）に示すような位置情報を“１日”毎に１つだけ抽出する。このとき、抽出された同一ユーザＩＤを有する位置情報には、新たなユーザＩＤ“Ａ１”，“Ａ２”が付与される。
【００３４】
その後、位置情報処理装置１２は、情報表示装置６によって指定された集計対象の所定エリアに含まれる位置情報を抽出する（ステップＳ１０５）。さらに、位置情報処理装置１２は、抽出した位置情報に基づいて、複数の所定集計エリアに位置する位置情報のデータ数を、その集計エリア毎に集計することにより、複数の所定集計エリアごとの人口分布を集計する（ステップＳ１０６）。図７には、位置情報処理装置１２によって集計された人口分布のデータ構成の一例を示している。このように、集計対象時間帯“1:00〜2:00”及び集計エリア“エリア１”に対して、移動通信端末２のユーザ数“1399”が対応付けて生成される。最後に、生成された人口分布データが情報表示装置６に送信される（ステップＳ１０７）。
【００３５】
以上説明した位置情報集計装置及び位置情報集計方法によれば、複数の移動通信端末２に関する位置情報が受信および蓄積され、蓄積された位置情報の中から特定時間帯に取得された位置情報が抽出された後に、ユーザＩＤが重複する位置情報がユーザ毎に抽出され、ユーザ毎に抽出された位置情報を対象に、所定エリア毎の人口分布が集計される。これにより、移動通信端末２毎に不定期に位置情報が取得される場合であっても、その位置情報を元にして任意の時間帯の任意のエリアにおける人口分布を高い精度で算出することができる。すなわち、時間帯を対象にして位置情報の抽出処理後にユーザ毎の抽出処理を実行することで、不定期に取得される位置情報であっても特定の時間帯におけるユーザ数を欠落なく算出することができる。例えば、頻繁に測位が要求される端末やあまり測位が実行されない端末が存在しても、所定時間帯のユーザ数を精度よく集計することができる。また、ユーザ毎の抽出処理後に所定エリア毎の位置情報の集計処理を実行することで、不定期に取得される位置情報であっても特定のエリアにおけるユーザ数を他のエリアと重複することなく算出することができる。例えば、同じユーザを“東京”や“横浜”等の複数のエリアで重複して集計することを防げる。
【００３６】
また、位置情報処理装置１２は、所定周期で繰り返される特定の時間帯（例えば、“毎日  １時台”）に含まれる時刻に対応する位置情報を抽出するので、１日周期や１週間周期の所定の周期で繰り返される時間帯についての人口分布をまとめて集計することができる。これにより、人口分布の長期的傾向を容易に知ることができる。
【００３７】
また、位置情報処理装置１２は、重複するユーザＩＤを含む位置情報が、その取得時刻が一定時間間隔以上空くように位置情報を抽出するので、同じユーザについての同一時間帯における移動の傾向も含めた人口分布を集計することができる。例えば、１日以上取得間隔が空いた位置情報を別ユーザと捉えることで、ユーザの１週間の行動パターンを含めて人口分布を知ることができる。
【符号の説明】
【００３８】
１…位置情報集計システム、２…移動通信端末、１１１…位置情報受信部（位置情報受信手段）、１１２…位置情報蓄積部（位置情報蓄積手段）、１２３…位置情報時間抽出部（第１の位置情報抽出手段）、１２４…位置情報ユーザ抽出部（第２の位置情報抽出手段）、１２６…集計部（集計手段）、ＮＷ…移動体通信網。      
【図１】
2010244292.tif 000003
【図２】
2010244292.tif 000004
【図３】
2010244292.tif 000005
【図４】
2010244292.tif 000006
【図５】
2010244292.tif 000007
【図６】
2010244292.tif 000008
【図７】
2010244292.tif 000009